(57)【要約】【課題】本発明は、ロープドラムが嵩張ることなく容易に運ぶことができるとともに、複数のロープを同時に掛ける場合にいずれかのロープに生じる弛みを容易に調整できるロープ巻き付け治具を提供する。【解決手段】ロープ巻き付け治具１は、エレベータのロープ５０が巻き付けられてこのロープ５０の捲回中心が枢支される少なくとも１つのドラム１０を備えることを前提とする。そして、ドラム１０は、ロープ５０を巻き付ける円筒状の巻芯１１と、巻芯１１の回転軸方向に両方の端に配置されて巻芯１１の内径よりも小さい軸孔１５が設けられるディスク状の一対のフランジ１２，１３と、巻芯１１の内周面１１ａに内接する位置に通されてフランジ１２，１３どうしを連結する少なくとも３組の締結部材１４とを備える。【選択図】      図１
2005306593.tif 000002
【特許請求の範囲】
【請求項１】
エレベータのロープが巻き付けられて前記ロープの捲回中心が枢支される少なくとも１つのドラムを備えるエレベータ用のロープ巻き付け治具であって、前記ドラムは、
前記ロープを巻き付ける円筒状の巻芯と、
前記巻芯の回転軸方向に両方の端に配置されて前記巻芯の内径よりも小さい軸孔が設けられるディスク状の一対のフランジと、
前記巻芯の内周面に内接する位置に通されて前記フランジどうしを連結する少なくとも３組の締結部材と
を備えることを特徴とするロープ巻き付け治具。
【請求項２】
前記ドラムは、前記捲回中心に沿う方向に複数並べて配置され、
隣合う一方の前記ドラムの一方のフランジから突出する前記締結部材の延出部と、
隣合う他方の前記ドラムの対向する他方のフランジに前記延出部の少なくとも１つと対応する位置に設けられる嵌合ボスと
を備えることを特徴とする請求項１に記載のロープ巻き付け治具。
【請求項３】
前記嵌合ボスは、前記一方のドラムと前記他方のドラムとを互いに回転位相をずらした場合にも前記延出部に対応する位置に配置することを特徴とする請求項２に記載のロープ巻き付け治具。
【請求項４】
前記フランジは、前記巻芯の内周面よりも中心寄りの位置から前記巻芯に捲回されたロープの最外周よりも外側の位置まで放射状に延びる長孔が形成されることを特徴とする請求項１に記載のロープ巻き付け治具。
【請求項５】
前記フランジの前記長孔に対応する位置に、前記巻芯に捲回されたロープを前記巻芯に括り付ける固縛具が設けられることを特徴とする請求項４に記載のロープ巻き付け治具。
【請求項６】
前記フランジは、前記巻芯に捲回された前記ロープの最外周よりも外側の位置に少なくとも１つの把持孔が形成されることを特徴とする請求項１に記載のロープ巻き付け治具。
【請求項７】
前記軸孔に通される心棒と、
前記心棒の両端部を水平に支持する受部を有するスタンドと、
前記受部に前記心棒の両端部を保持する脱落防止部材と、
複数の前記ドラムが心棒に沿って移動することを防止するガイド部材と
を備えることを特徴とする請求項２に記載のロープ巻き付け治具。
【請求項８】
前記ドラムの外周縁部に摺接するブレーキ機構を前記スタンドの前記受部から前記ドラムの半径方向に延びる脚部に設けることを特徴とする請求項７に記載のロープ巻き付け治具。
【発明の詳細な説明】
【技術分野】
【０００１】
本発明は、エレベータの設置工事においてエレベータ用ロープを巻き掛ける際に使用されるロープ巻き付け治具に関する。
【背景技術】
【０００２】
エレベータの設置工事において、ロープをつり合いおもりに巻き掛ける場合、つり合いおもり用ガイドレールに沿って昇降するロープ案内装置を利用する方法がある（例えば、特許文献１参照。）。ロープ案内装置は、案内部にロープが巻き掛けられ、昇降路の最下部に位置するつり合いおもり用つり車近傍まで降ろされる。ロープは、最上階乗場に設置されたドラムローラ上に搭載されるワイヤドラム（ロープドラム）に巻きつけられており、ここから繰り出される。
【０００３】
また、ロープを垂下させていくにしたがい、自重により降下速度が増すことを防止するために、ロープブレーキが設けられている。このロープブレーキは、巻上機とロープ案内装置の案内部との間に設けられている。
【特許文献１】特開２０００−３４４４４０号公報
【発明の開示】
【発明が解決しようとする課題】
【０００４】
ロープは、ロープドラムに必要量だけ巻き付けられた状態で出荷され、エレベータを据付ける現地に搬送される。しかし、ロープドラムに巻き付けられているロープの量によらずドラムの大きさに応じて、トラックの荷台スペースを占有するので、ドラムの数に応じた輸送コストがかかる。
【０００５】
また、ロープをつり合いおもり用つり車に掛けるロープ掛作業に使用されるロープドラムは、複数のロープを同時に掛ける場合、ロープ本数分並べて使用される。各ロープドラムから同じ分量のロープを繰り出すと共に各ロープの張力を均等に保つために、ロープドラムを互いに連結することが考えられる。
【０００６】
しかし、ロープの巻き方によっては、ロープに弛みを生じるドラムができることがある。その結果、ロープは、床に接触して埃が付着したり、突起物にあたって傷がついたりする恐れがある。ところが、ロープドラムを個々に回転するように設けると、ロープドラムごとの繰り出し量を管理するために複雑な機構が必要となったり、別途走査する作業員が必要となったりする。
【０００７】
そこで、本発明は、ロープドラムが嵩張ることなく容易に運ぶことができるとともに、複数のロープを同時に掛ける場合にいずれかのロープに生じる弛みを容易に調整できるロープ巻き付け治具を提供することを特徴とする。
【課題を解決するための手段】
【０００８】
本発明に係るロープ巻き付け治具は、エレベータのロープが巻き付けられてこのロープの捲回中心が枢支される少なくとも１つのドラムを備えることを前提とする。そして、ドラムは、ロープを巻き付ける円筒状の巻芯と、巻芯の回転軸方向に両方の端に配置されて巻芯の内径よりも小さい軸孔が設けられるディスク状の一対のフランジと、巻芯の内周面に内接する位置に通されてフランジどうしを連結する少なくとも３組の締結部材とを備える。
【０００９】
また、ドラムは、捲回中心に沿う方向に複数並べて配置される場合、隣合う一方のドラムの一方のフランジから突出する締結部材の延出部と、隣合う他方のドラムの対向する他方のフランジに延出部の少なくとも１つと対応する位置に設けられる嵌合ボスとを備える。嵌合ボスは、一方のドラムと他方のドラムとを互いに回転位相をずらした場合にも延出部に対応する位置に配置する。
【００１０】
フランジに、巻芯の内周面よりも中心寄りの位置から巻芯に捲回されたロープの最外周よりも外側の位置まで放射状に延びる長孔を形成する。フランジの長孔に対応する位置に、巻芯に捲回されたロープを巻芯に括り付ける固縛具を設ける。フランジは、巻芯に捲回されたロープの最外周よりも外側の位置に少なくとも１つの把持孔が形成する。
【００１１】
複数のドラムから安定してロープを繰り出すために、軸孔に通される心棒と、心棒の両端部を水平に支持する受部を有するスタンドと、受部に心棒の両端部を保持する脱落防止部材と、複数のドラムが心棒に沿って移動することを防止するガイド部材とを備える。そして、ドラムの外周縁部に摺接するブレーキ機構をスタンドの受部からドラムの半径方向に延びる脚部に設ける。
【発明の効果】
【００１２】
本発明に係るロープ巻き付け治具によれば、ドラムを巻芯とフランジとが締結部材によって連結されている。したがって、締結部材を外すことによって、ドラムを搬送しやすい形態に分解することが可能である。その結果、ロープ巻き付け治具を運搬する輸送コストを抑えることができる。
【００１３】
また、本発明に係る他の形態のロープ巻き付け治具によれば、ロープの捲回中心線に沿う方向に複数並べてドラムを配置する場合、隣合う一方のドラムの一方のフランジから突出する締結部材の延出部と、隣合う他方のドラムの他方のフランジに延出部の一つと対応する位置に設けられる嵌合ボスとを備える。このロープ巻き付け治具によれば、ロープの自重で個々のドラムが回転してロープが弛むことを防止することができる。また、複数並ぶドラムから均等にロープを繰り出すことができる。さらに、いずれかのドラムのロープに弛みが生じた場合でも、となりあうどらむを捲回中心線に沿って互いに離れる方向にずらすことで、延出部と嵌合ボスとの嵌合を容易に外すことができ、ロープに弛みが生じたドラムを回転させて弛みをとることができる。
【発明を実施するための最良の形態】
【００１４】
本発明に係る第１の実施形態のロープ巻き付け治具１を図１から図６を参照して説明する。図１に示すロープ巻き付け治具１は、複数のドラム１０を備え、エレベータのロープ５０を巻き付けて運搬したり、エレベータの設置工事におけるロープ５０の巻き掛け作業において使用されたりする。
【００１５】
このロープ巻き付け治具１は、図１に示すように、ドラム１０と支持パイプ２０とスタンド３０とを備える。ドラム１０は、ロープ５０の捲回中心に沿って支持パイプ２０が通される。支持パイプ２０は、複数のドラム１０が並べて通された状態で、スタンド３０の上部に設けられた受部３１に両端２１が載置される。並べたドラム１０が互いに離れないように、支持パイプ２０は、並べられたドラム１０の両外側にガイド部材２２が取り付けられる。スタンド３０の受部３１は、支持パイプ２０の両端２１を保持する脱落防止部材としてロックボルト３２が取り付けられている。
【００１６】
ドラム１０は、図２に示すように、巻芯１１とフランジ１２，１３と締結部材１４とを備える。巻芯１１は、巻き付けたことによる癖がロープ５０に残らない程度の直径に形成されたポリエチレン製の円筒形状である。フランジ１２，１３は、巻芯１１の直径よりも十分大きいディスク状である。フランジ１２，１３は、巻芯１１の回転軸方向に両方の端に一対に配置され、締結部材１４で互いに連結される。
【００１７】
フランジ１２，１３の中央部には、巻芯１１の内径よりも小さい軸孔１５が巻芯１１の回転軸と同心に形成されている。また、フランジ１２，１３は、図５に示すように、巻芯１１の内周面１１ａよりも中心寄りの位置から巻芯１１に捲回されたロープ５０の最外周５０ａに対して外側の位置までの範囲にわたって、長孔１６が放射状に設けられている。周方向に長孔１６と長孔１６との間には、ハンドリング用の把持孔１７が設けられている。把持孔１７は、個別のドラム１０を作業員が持ち運ぶ際に手を掛けるハンドルとして活用されるほか、ロープ５０の巻き端がばらけないように簡易結束バンド４０で固定する場合にも利用することができる。
【００１８】
締結部材１４は、貫通ボルト１４ａとナット１４ｂとで構成される。貫通ボルト１４ａは、巻芯１１を挟んだ状態で両側のフランジ１２，１３を貫通する十分な長さを有している。貫通ボルト１４ａは、図４に示すように、巻芯１１の内周面１１ａに内接する位置に通され、反対側に突出する延出部１４ｃにナット１４ｂが螺合される。本実施形態において、締結部材１４は、等配に４組、設けられている。なお、締結部材１４は、２組でも巻芯１１とフランジ１２，１３とを拘束することが可能であるが、実際には、３組以上設けることが好ましい。
【００１９】
延出部１４ｃが突出する一方側のフランジ１２に対して他方側のフランジ１３に、嵌合ボス１８が取り付けられている。嵌合ボス１８は、隣合うドラム１０の延出部１４ｃに対応する位置および回転方向に位相のずれた位置に配置される。本実施形態において、嵌合ボス１８は、貫通ボルト１４ａが挿通される位置を外して、４５°ピッチで８箇所、等配に設けられている。このように構成された複数のドラム１０は、図３に示すように、軸孔１５に心棒となる支持パイプ２０が通され、延出部１４ｃと嵌合ボス１８とで隣合うドラム１０どうし連結された状態で一体的に支持パイプ２０を軸に回転する。
【００２０】
エレベータのロープ５０は、巻芯１１とフランジ１２，１３とが組み合わされたドラム１０に複数層稠密に捲回され、図５に示すように、簡易結束バンド４０で固縛される。簡易結束バンド４０は、固縛具の一例であるので、代わりに紐のようなものや番線でロープ５０を縛っても良い。出荷する時には、ドラム１０は、ロープ５０が捲回された巻芯１１と、フランジ１２，１３とに分解した状態で現地に輸送される。このようにすることで、ロープ５０の巻き数が少ない場合は、梱包容積を減らすことができる。
【００２１】
巻芯１１とフランジ１２，１３とは、エレベータが設置される現地で締結部材１４によって組み合わされる。簡易結束バンド４０は、出荷前にドラム１０の状態で巻き付けられたロープ５０を固縛している。つまり、フランジ１２，１３に形成された長孔１６と合致する位置に装着されている。したがって、ロープ５０が固縛された状態の巻芯１１にフランジ１２，１３を現地で合せた場合、簡易結束バンド４０は、フランジ１２，１３と干渉することなく外側から見える。長孔１６は、巻芯１１の内周面１１ａよりも中心寄りの位置から設けられている。巻芯１１の端面１１ｂを横切る位置で簡易結束バンド４０を切断することによって、ロープ５０に傷をつけることが無い。
【００２２】
隣合うドラム１０どうしが連結された状態のロープ巻き付け治具１によってロープ５０を繰り出す場合、巻き付け状態によってロープ５０に弛みが生じる場合がある。このような場合、図１に示したガイド部材２２を外し、ロープ５０に弛みが生じたドラム１０を隣合うドラム１０から離間させて、図６に示すように隣合うドラム１０との連結を解除する。このようにすることで、個々のドラム１０は、単独で回転できるようになり、ロープ５０の弛みを解消することができる。
【００２３】
また、繰り出されたロープ５０の自重によって必要以上にロープ５０が繰り出されないようにするために、ロープ巻き付け治具１は、ブレーキ機構６０を備えている。このブレーキ機構６０は、スタンド３０の受部３１からドラム１０の半径方向に伸びる脚部３３に設けられたブラケット６１と、このブラケット６１から支持パイプ２０に並べて装着されたドラム１０のうち最外部に位置するドラム１０のフランジ１３に向かって延びるブレーキボルト６２とで構成される。ブレーキボルト６２の先端６２ａは、フランジ１３の縁１３ａと軸方向に摺接する。ブレーキボルト６２の突出量を調整することによって、ブレーキ機構６０のブレーキ力は、調整される。ロープ巻き付け治具１は、このブレーキ機構６０を備えることによって、繰り出したロープ５０の自重でドラム１０が回りすぎることを防止する。なお、本実施形態において、ブレーキボルト６２の先端６２ａは、フランジ１３に向かって延び、かつ摺接するが、フランジ１２に向かって延びてこのフランジ１２と摺接しても良い。
【００２４】
なお、フランジ１２，１３の縁１２ａ，１３ａと半径方向に摺接するようにブレーキボルト６２を配置しても良い。また、ブレーキ機構６０は、ドラム１０を迂回して両側のスタンド３０に渡される梁から、各ドラム１０の縁に向けてブレーキボルト６２の先端６２ａを摺接させても良い。また、本実施形態において、スタンド３０は、ドラム１０の真下で左右を連結した構造としているが、左右それぞれ独立して自立できる構造であっても良い。
【図面の簡単な説明】
【００２５】
【図１】本発明に係る第１の実施形態のロープ巻き付け治具を示す斜視図。
【図２】図１に示したロープ巻き付け治具のドラムの分解斜視図。
【図３】図２に示したドラムの締結部材を通る断面図。
【図４】図３に示したドラムの締結部材の周辺を拡大した断面図。
【図５】図１に示したドラムの一方のフランジを外して一部を拡大した側面図。
【図６】図１に示したロープ巻き付け治具のガイド部材を取り外し、隣合うドラムの連結を解除した断面図。
【符号の説明】
【００２６】
１…ロープ巻き付け治具、１０…ドラム、１１…巻芯、１１ａ…内周面、１１ｂ…端面、１２，１３…フランジ、１４…締結部材、１５…軸孔、１６…長孔、１７…把持孔、１８…嵌合ボス、２０…支持パイプ（心棒）、２１…両端、２２…ガイド部材、３０…スタンド、３１…受部、３２…ロックボルト（脱落防止部材）、３３…脚部、４０…簡易結束バンド（固縛具）、５０…ロープ、５０ａ…最外周、６０…ブレーキ機構。
【図１】
2005306593.tif 000003
【図２】
2005306593.tif 000004
【図３】
2005306593.tif 000005
【図４】
2005306593.tif 000006
【図５】
2005306593.tif 000007
【図６】
2005306593.tif 000008